(57)【要約】  電子的に作動可能な錠に対する識別キャリア、すなわち電子キーの作成方法において、少なくとも１つのメモリ・チップを有する集積回路が印刷プロセスによりキャリア上にインプリントされ、識別コードがメモリ・チップ上に格納される。【特許請求の範囲】
【請求項１】
電気的に作動可能な錠に対する少なくとも１つのメモリ・コンポーネントを有する集積回路を含む識別キャリアすなわち電子キーを作成する方法であって、集積回路は印刷プロセスにより少なくとも部分的にキャリア上にインプリントされ、識別コードが前記メモリ・コンポーネント内に格納され、前記キャリアとして粘着性箔が選択され、それはもう１つのキャリアへ添付されることを特徴とする方法。
【請求項２】
請求項１に記載の方法であって、紙、ボール紙またはプラスチック・カードが前記もう１つのキャリアとして選択されることを特徴とする方法。
【請求項３】
請求項１または２に記載の方法であって、電子回路はトランスポンダ・チップを形成するようにインプリントされ、さらに、アンテナが印刷プロセスによりキャリア上に印刷されることを特徴とする方法。
【請求項４】
請求項１から３のいずれか１項に記載の方法であって、インプリントされた回路は保護層、たとえば、箔により被覆されることを特徴とする方法。
【請求項５】
請求項１から４のいずれか１項に記載の方法であって、識別コードは印刷プロセスによりメモリ・コンポーネント内に書き込まれることを特徴とする方法。
【請求項６】
請求項１から５のいずれか１項に記載の方法であって、識別コードは電子的手段によりメモリ・コンポーネント内に書き込まれることを特徴とする方法。
【請求項７】
電気的に作動可能な錠に対する識別キャリアすなわち電子キーとして印刷プロセスにより部分的に作成される集積回路の使用。
【請求項８】
その上に集積回路が印刷プロセスにより少なくとも部分的にインプリントされる粘着性箔が添付された、電気的に作動可能な錠に対する電子キーとしての、任意所望のオブジェクトの使用。
【発明の詳細な説明】
【技術分野】
【０００１】
本発明は電気的に作動可能な錠用の識別キャリアすなわち電子キーの作成方法に関する。
【０００２】
電気的に作動可能な錠を作動させる識別キャリアすなわち電子キーがさまざまな構成で知られるようになってきている。たとえば、磁気カードが知られてきており、その磁気ストリップ内に電気的コードが格納され、それは磁気カードを適切な読取装置に挿入する時に読み出すことができ、読み出されたコードの関数としてアクセス許可が決定され、適切であれば、解錠される。さらに、識別キャリアすなわち電子キーが知られるようになってきており、そこから格納された識別コードをワイヤレスで読みだすことができる。ここでは、特に、ＲＦＩＤ（無線周波数識別）技術に基づいて動作するトランスポンダ・キーについて述べる。
【背景技術】
【０００３】
ＲＦＩＤトランスポンダはデジタル回路および永久メモリだけでなく基本的にアンテナ、アナログ送受信回路（トランスポンダ）を含んでいる。錠とトランスポンダ・キー間のＲＦＩＤ通信は次のように機能する。錠内または錠付近に配置された読取装置はＲＦＩＤトランスポンダのアンテナにより受信されるＨＦ電磁界または磁界を発生する。電磁界または磁界に近づくとすぐにアンテナ・コイル内に誘導電流が形成される。この誘導電流はトランスポンダ・キー内のマイクロチップを活性化させる。受動トランスポンダでは、誘導電流はキャパシタをさらに充電し、それによりチップへの永久給電が保証される。能動トランスポンダ・キーでは、これは設置されたバッテリにより行われる。マイクロチップが活性化されると、トランスポンダ・キーは読取装置から命令を受信し、メモリ内に格納された識別コードが通常このような命令に応答してキーから錠へ送信される。
【０００４】
一方、ＲＦＩＤトランスポンダの助けを借りて商品、物品または安全書類（ｓａｆｅｔｙ  ｄｏｃｕｍｅｎｔｓ）に電子的に読取可能な情報を提供することが知られている。ＷＯ  ００／０７１５１Ａ１は、たとえば、銀行券、小切手、株式、等のセキュリティ書類を保全するためのＲＦＩＤ技術の応用について記載している。ＲＦＩＤトランスポンダから発せられる識別情報を含む出力信号は信憑性機能を構成し、安全書類の信憑性を検証するために検証される。たとえば、キャリア周波数で結合される時にＲＦＩＤトランスポンダにより発せられる出力信号は、やはり安全書類にインプリントされる、安全書類の個別のシリアル番号を含んでいる。これら２つの情報片を検証するために、安全書類は偽造されていないかどうかチェックされる。
【０００５】
ＥＰ１１３４６９４Ａ１にも安全書類へのトランスポンダの応用が記載されている。そこでも、トランスポンダは偽造を認識するまたは書類を捜し出す機能として働く。
【０００６】
ＷＯ  ０３／０５７５０１Ａ１はその上に電子回路を取り付けることができるセキュリティまたは安全書類について記載しており、電子回路の少なくとも１素子がセキュリティまたは安全書類上に印刷される。回路の導体または他の導電性構造を作り出すために導電性インクが使用される。適切な導電性インクは、たとえば、導電性ポリマを含んでいる。このような導電性ポリマはそれ自体が先行技術から知られている。さらに、絶縁および／または誘電および／または高透磁性および／または圧電性インクを使用して回路構造を実現することができる。有機半導体技術から、たとえば、ポリチオフェン、ポリチエニレンビニレンまたはポリフルオレン誘導体等の共役ポリマにより作られた有機半導電性層を塗布することが知られている。好ましくは、層すなわちインクは既に部分的に構造化すなわちパターン化された状態で、たとえば、インクジェット印刷、スクリン印刷、活版印刷、凹版印刷およびフラット印刷等の印刷プロセスにより塗布される。
【０００７】
たとえば、銀行券等のセキュリティ書類や安全書類上に電子回路を印刷する印刷技術の使用は、これまで、セキュリティ書類または安全書類の機械的柔軟性に電子回路が適合される利点を伴っており、セキュリティ書類または安全書類の操作は影響されなかった。
【先行技術文献】
【特許文献】
【０００８】
【特許文献１】国際特許第００／０７１５１Ａ１号
【特許文献２】欧州特許第１１３４６９４Ａ１号
【特許文献３】国際特許第０３／０５７５０１号
【発明の概要】
【発明が解決しようとする課題】
【０００９】
本発明は識別キャリアすなわち電子キーを作成する方法を提供しようとするものであり、前記方法により得られるキーは、特に、あらゆる種類のオブジェクトがさらにキーとしても使用できる、たとえば、ホテルの部屋施錠システムの状況における短期応用に適切なものである。
【課題を解決するための手段】
【００１０】
この目的を解決するために、本発明に従った方法は、実質的に、少なくとも１つのメモリ・コンポーネントを有する集積回路が印刷プロセスによりキャリア上に少なくとも部分的にインプリントされ、識別コードが前記メモリ・コンポーネント内に格納されることを特徴としている。識別コードを含む回路を印刷プロセスによりキャリア上にインプリントすることにより、ほぼどんなキャリアでも使用することができ、集積回路をインプリントしその後各識別コードを格納することにより前記キャリアはキーとなる。このように、キーの機能は回路をインプリントすることにより任意所望のオブジェクトに与えることができ、このようなキーは適切に選択されたキャリアにより常に利用することができ、別個に持ち歩く必要がないようにされる。ホテルの部屋施錠システムの状況では、たとえば、ホテルの客はその上に集積回路が印刷プロセスによりインプリントされる自分達のパスポートやＩＤカード等の個人的なオブジェクトを提供し、インプリント・プロセスにより識別コードを添付したり格納した後で（たとえば、ＲＯＭ）、パスポートやＩＤカードがホテル・キーとなっていることが考えられる。ホテルの部屋施錠システムを適切にプログラミングすることにより、各ホテルの客に割り当てられる識別コードは客の滞在中しか有効とならないようにすることができる。有効期限が切れると、識別コードはアクセス許可のリストから削除されてホテルの客の個人的なオブジェクトから集積回路を再度除去する必要がないようにされる。集積回路は個人的なオブジェクト上に残り、インプリントされた回路は適切な溶媒を使用してインクを除去することによりホテルの客自身が随意除去することができる。
【発明を実施するための形態】
【００１１】
本発明の実施例に従って、回路は印刷プロセスにより少なくとも部分的にインプリントされる。そうすることにより、データを送受信するために設けられるアンテナは、たとえば、従来の方法で付けることができる。あるいは、アンテナも印刷プロセスによりインプリントすることができる。
【００１２】
キャリア表面上にインプリントされた回路の耐久性を拡張するために、好ましくは、インプリントされた回路は保護層、たとえば、箔により被覆される。
【００１３】
その上に回路をインプリントして作成される識別キャリアの普遍的応用性は、特に、好ましい構成に対応して、粘着性箔が前記キャリアとして使用されても保証される。このように、集積回路は粘着性箔にインプリントされ、その後粘着性箔はそれをキーとして機能させるように任意所望のオブジェクト上に貼り付けることができる。所望により、箔は簡単な方法でオブジェクトから引き剥がすことができる。
【００１４】
前記したように、ほぼ全てのオブジェクトが本発明に従った方法に対するキャリアとして適切であり、紙、ボール紙またはプラスチック・カードが好ましいキャリアとして選択される。
【００１５】
次に、キャリアはオブジェクト上に貼り付けられ、その場合オブジェクトの特殊条件を考慮しなければならない。このケースではキャリアは、たとえば、平らで堅くて小さな板状物体であることがあり、それはその起伏のために恐らくインプリントするのが困難であるオブジェクトにさえもキーの機能を与えるように起伏のあるオブジェクト上に貼り付けられる。必要であれば、キャリアは貼り付けた後で起伏が補償されるようにオブジェクトの起伏に適合させることができる。また、キャリアはオブジェクトの表面に対してある距離を保ちながらオブジェクト上に貼り付けられるように設計することができ、キャリア上にインプリントされた回路と錠との間の通信がオブジェクトの金属表面により干渉される場合にそれは特にためになる。
【００１６】
電子回路およびその中に格納された識別コードはアクセス許可を決定しかつ解錠または施錠するために全くどんな方法ででも錠と協働することができ、識別コードを読み出す目的で電子キーと錠を組み合わせることはワイヤレスの場合でもコンタクトを介する場合でも実現可能である。好ましい方法では、それは電子回路がインプリントされてトランスポンダ・チップを形成し、さらに印刷プロセスによりキャリア上にアンテナが印刷されるように続行される。このように、いわゆるＲＦＩＤチップを作成して識別コードの読取りを単純なワイヤレス方法でできるようにし、かつＲＦＩＤトランスポンダの受動構成によるキーへの個別のエネルギ供給を放棄できるようにすることができる。
【００１７】
要約すると、本発明は電気的に作動可能な錠に対する識別キャリアすなわち電子キーとして印刷プロセスにより少なくとも部分的に作成される集積回路の使用に関連している。
【国際調査報告】
2010506313.tif 000002
2010506313.tif 000003
2010506313.tif 000004
2010506313.tif 000005
2010506313.tif 000006
2010506313.tif 000007